(57)【要約】      （修正有）【課題】角度をモニタリングして調整し、電球の点滅を改善する角度をモニタリング及び調整するライト台を提供する。【解決手段】角度をモニタリング及び調整するライト台は、特に角度をモニタリング調整し、電球の点滅問題を改善するもので、主にカバー体１０に枢設ヘッド２０を枢設し、且つ枢設ヘッドの底端には複数の互いに交錯する上、下定位挟持片を具え、更に自動補正光制御スイッチ３０は参考電位端の電圧を調整する機能を具える。それによって随時環境の光源強弱の変化を監視して光源のモニタリングした方位を適時調整する他に、電球の点滅問題を有効に改善する。【選択図】図６
0003145874.tif 000002
【実用新案登録請求の範囲】
【請求項１】
カバー体、枢設ヘッド、自動補正光制御スイッチから構成された角度をモニタリング及び調整するライト台において、
内部に納置空間を形成し、最上部は該納置空間と相互に通じる納置口を具え、同時に納置口の隣接する周囲面上には環上歯型の定位リングと、定位リングに隣接する定位塊を具え、且つ側面縁にはモニタリング孔を設置するカバー体と、
該カバー体に相対して設置し、底端には複数の互いに交錯する上、下定位挟持片を具え、且つ各上、下定位挟持片の間には掛合空間を具え、そのうちの上定位挟持片の底部には定位凸縁を具えて該カバー体の定位リングと相互に噛み合い、またそのうちの下定位挟持片は外向きに突出した停止塊を具えて該カバー体の定位塊で止めて回転するのに用いる枢設ヘッドと、
該カバー体内に設置し、光検出ユニット、光補正ユニット及び光強度設定ユニットを含み、そのうち該光検出ユニットは該カバー体のモニタリング孔に対応する自動補正光制御スイッチを含み、
該カバー体は枢設ヘッドを中心として回転する時、該照明具及び自動補正光制御スイッチと共に３６０度近い方位調整でモニタリングすることを特徴とする角度をモニタリング及び調整するライト台。
【請求項２】
前記枢設ヘッドは、各一上定位挟持片及び各一下定位挟持片の間に隙間を具えて各上定位挟持片が押圧、跳ね返りの可動空間となり、同時に空気を流通して光制御照明具を放熱するのに利用されることを特徴とする請求項１記載の角度をモニタリング及び調整するライト台。
【請求項３】
前記光検出ユニットは、外界の光源の強弱を感知して一端の電位を下降もしくは上昇させ、該光補正ユニットは予め電圧値を設定した参考電位端を具え、且つ一端の電位が、外界光源が暗いため該参考電位端の設定電圧値まで上昇すると、該光補正ユニットは正電圧を出力して該電球を点け、他に光強度設定ユニットは該光補正ユニットが出力した正電圧に従って該光補正ユニットの参考電位端までフィードバックし、該参考電位端の設定電圧値を調整して外界光源に対して感知に許容範囲を有することを特徴とする請求項１記載の角度をモニタリング及び調整するライト台。
【請求項４】
カバー体、枢設ヘッド、自動補正光制御スイッチから構成された角度をモニタリング及び調整するライト台において、
内部に納置空間を形成し、最上部は該納置空間と相互に通じる納置口を具え、同時に納置口の隣接する周囲面上には環上歯型の定位リングを具え、且つ側面縁にはモニタリング孔を設置するカバー体と、
該カバー体に相対して設置し、底端には複数の互いに交錯する上、下定位挟持片を具え、且つ各一上、下定位挟持片の間には掛合空間を具え、そのうちの上定位挟持片の底部には定位凸縁を具えて該カバー体の定位リングと相互に噛み合い、また内部には中心軸線方向に沿って貫く正極孔、及び該中心軸線方向に平行に貫設した負極孔を具える枢設ヘッドと、
該カバー体内に設置し、回路板、光検出ユニット、光補正ユニット、正極導体、負極導体、正極導線、負極導線及び環接続台を含み、そのうち該光検出ユニットは該カバーのモニタリング孔に対応し、該正極導体は回路板上の中心軸線位置に設置し、該負極導体は環状で、回路版に設置して中心軸線位置に相対し、該正極導線は害枢設ヘッドの正極穴から垂れ下がり、且つ正極導体と固定せずに接触し、該負極導線は該枢設ヘッドの負極孔から垂れ下がり、且つ負極導体と固定せずに接触し、該環接続台は該回路板の底面で定位して負極導体に相対して連通する自動補正光制御スイッチを含み、
該カバー体が該枢設ヘッドを中心にして回転した時、該自動補正光制御スイッチはカバー体に従って任意の角度で回転することを特徴とする角度をモニタリング及び調整するライト台。
【請求項５】
前記枢設ヘッドは、各一上定位挟持片及び各一下定位挟持片の間に隙間を具え、各一上定位挟持片の押圧、跳ね返りの空間を形成し、同時に空気を流通させて該光制御照明具の放熱に用いることを特徴とする請求項４記載の角度をモニタリング及び調整するライト台。
【請求項６】
前記光検出ユニットは、外界光源の強弱を感知して一端の電位を下降、上昇させ、該光補正ユニットは、予め電圧値を設定した参考電位端を具え、且つ一端の電位は外界光源が暗いため該参考電位端の設定電圧値まで上昇すると、該光補正ユニットは正電圧を出力して該電球を点け、他に光強度設定ユニットは該光補正ユニットが出力した正電圧に従って該光補正ユニットの参考電位端までフィードバックし、該参考電位端の設定電圧値を調整して外界光源に対して感知に許容範囲を有することを特徴とする請求項４記載の角度をモニタリング及び調整するライト台。
【請求項７】
前記正極導体は、「く」の字型の弾片で、該回路板最上面に露出した上導電片、及び回路板底面に露出した下導電片を具え、且つ該正極導線及び負極導線はそれぞれ弾塑性を具え、且つ湾曲し且つ該正極導体、負極導体と接触する導電端を具えることを特徴とする請求項４記載の角度をモニタリング及び調整するライト台。
【考案の詳細な説明】
【技術分野】
【０００１】
本考案は、角度をモニタリング及び調整するライト台に関するもので、角度をモニタリングして調整し、電球の点滅を改善するものである。
【背景技術】
【０００２】
図１に示すとおり、一般公知のライト台４は、光制御照明具を設置するのに用いる台座２を含み、該光制御照明具は光モニタリング部品を有する。該台座２は該光モニタリング部品を納置する納置室３を具え、同時に該光制御照明具は該ライト台４によって例として天井板Ａ等箇所に固定し、周辺環境に対して光源の強弱のモニタリングを実施し、光源の強弱によって自動で点いたり消えたりする。更に該公知ライト台４内部にはすべて電球６を点けたり消したりする制御回路１を具える。第２図に示すとおり、該制御回路１は、光検出部品５、比較器７６、該光検出部品５及び該比較器７６の出力端に電性接続する三制限レジスタンス７８、該制限レジスタンス７８と相互に接続するトランジスタ７７及び該トランジスタ７７と相互に接続する継電器７９を含む。この他、該光検出部品５と該レジスタンス７４が相互に接続する箇所には別にセンサー電位端７１を形成し、同時に該レジスタンス７３と該比較器７６の入力端が相互に接続する箇所には参考電位端７２を形成する。該光検出部品５が外界の光源が暗さを感知すると（例として夜間）、該光検出部品５のレジスタンス値は高くなって該センサー電位端７１の電位も高くなり、その電位の高さが該参考電位端７２の電位まで上がった（もしくは超えた）時、該比較器７６は正電圧を出力して該トランジスタ７７の通電を触発し、更に該継電器７９を通電して感知し閉路状態にして該電球６に通電して光らす。また外界が明るい時、光検出部品５のレジスタンス値は下がり、該センサー電位端７１の電位も下がり、且つその電位が参考電位端７２の電位より低い時、該比較器７６正電圧を出力せず該トランジスタ７７を駆動しない。更に該継電器７９が通電感知できずに開路状態で該電球６が消える。該光制御スイッチは即ち外界の光源の明暗状態に応じて電球を点けたり消したりする。
【０００３】
この種の公知構造は実際に使用する中で下述の問題点を抱える。
１．該光制御照明具を該ライト台４に設置すると、該ライト台４は固定して方向を回転して調整することができなくなる。そのため該光制御照明具は単一の角度の光源だけに対してモニタリングするため、環境に応じた適時の調整ができない他に、該光制御照明具の使用は有効に発揮されない。
２．該公知のライト台４の制御回路１の参考電位端７２は固定されて調整ができないため、電球６が点いた時、その電球６の光源は該光検出部品５を照らし、該光検出部品５のレジスタンス値が下がり、該センサー電位端７１の電位は該参考電位端７２の電位より下がり、該比較器７６は正電圧を出力して該トランジスタ７７及び該継電器７９を動かすことができないため、該電球６は消えてしまい、該電球６が消えると、外界光源は暗い状況において該光検出部品５のレジスタンス値がまた上昇し、該比較器７６が正電圧を発生して該電球６を点ける。このような循環により、該電球６は点いたり消えたりする点滅現象を発生し、照明効果に影響を与える他に、該電球６を壊してしまう。
【０００４】
解決しようとする問題点は、環境に応じた適時の調整ができない他に、該光制御照明具の使用は有効に発揮されない、他に電球は点いたり消えたりする点滅現象を発生し、照明効果に影響を与える点である。
【０００５】
上述の公知のライト台構造に存在する問題点に対して如何にして実用性を具えた新構造を開発するかを追及し、研究を重ねた。考案者は長年の関連領域に於いて開発と経験を重ね、上述の目標に対して本考案を提供する。
【考案の開示】
【考案が解決しようとする課題】
【０００６】
角度をモニタリングおよび調整するライト台を提供することを本考案の主な目的とする。解決したい問題点として、公知のライト台に存在する該ライト台は、方位を回転して調整することができないため、該光制御照明具は単一角度方位の光源だけでモニタリングするしかない。
【０００７】
問題を解決するための技術特徴として、主にカバー体内部に納置空間を形成し、且つその最上部の納置口の隣接する周囲面には環状歯型の定位リング及び定位リングに隣接する定位塊を具え、且つ該カバー体の側面縁にはモニタリング孔を設置し、枢設ヘッドはカバー体に枢設する。該枢設ヘッドの底端には複数の互いに交錯する上、下定位挟持片を具え、且つ各一上、下定位挟持片の間には掛合空間を具える。そのうちの上定位挟持片の底部には定位凸縁を具え、該カバー体の定位リングと相互に噛み合う。そのうちの下定位挟持片は、外向きに突起する停止塊を具えてカバー体の定位塊で止めて回転するのに用いる。
【０００８】
これらにより、本考案は該光制御照明具を伴って３６０度近く回転し、随時、環境の光源の強弱の変化を監視し、光源のモニタリング方位を適時調整し、使用上の実用性を具える。
【０００９】
公知のライト台に存在する電球が常に点いたり消えたりする現象に対して、改善することを本考案の別の目的とする。それは主に自動補正光制御スイッチをカバー体内に設置し、且つ該自動補正光制御スイッチは、光検出ユニット、光補正ユニット、及び光強度設定ユニットを含む。そのうち、該光検出ユニットは、カバー体のモニタリング孔に対応することを別の一技術的特徴とする。参考電位端の電圧を調整する機能を具え、それによって電球の点滅問題を有効に改善し、自動点滅器、ナイトライト、及び人体をセンサーライトの日夜転換システムに広く適用し、使用価値及び経済効率が高まり、使用上位の実用性を達成する。
【課題を解決するための手段】
【００１０】
請求項１の考案は、カバー体、枢設ヘッド、自動補正光制御スイッチから構成された角度をモニタリング及び調整するライト台において、
内部に納置空間を形成し、最上部は該納置空間と相互に通じる納置口を具え、同時に納置口の隣接する周囲面上には環上歯型の定位リングと、定位リングに隣接する定位塊を具え、且つ側面縁にはモニタリング孔を設置するカバー体と、
該カバー体に相対して設置し、底端には複数の互いに交錯する上、下定位挟持片を具え、且つ各上、下定位挟持片の間には掛合空間を具え、そのうちの上定位挟持片の底部には定位凸縁を具えて該カバー体の定位リングと相互に噛み合い、またそのうちの下定位挟持片は外向きに突出した停止塊を具えて該カバー体の定位塊で止めて回転するのに用いる枢設ヘッドと、
該カバー体内に設置し、光検出ユニット、光補正ユニット及び光強度設定ユニットを含み、そのうち該光検出ユニットは該カバー体のモニタリング孔に対応する自動補正光制御スイッチを含み、
該カバー体は枢設ヘッドを中心として回転する時、該照明具及び自動補正光制御スイッチと共に３６０度近い方位調整でモニタリングすることを特徴とする角度をモニタリング及び調整するライト台としている。
請求項２の考案は、前記枢設ヘッドは、各一上定位挟持片及び各一下定位挟持片の間に隙間を具えて各一上定位挟持片が押圧、跳ね返りの可動空間となり、同時に空気を流通して光制御照明具を放熱するのに利用されることを特徴とする請求項１記載の角度をモニタリング及び調整するライト台としている。
請求項３の考案は、前記光検出ユニットは、外界の光源の強弱を感知して一端の電位を下降もしくは上昇させ、該光補正ユニットは予め電圧値を設定した参考電位端を具え、且つ一端の電位が、外界光源が暗いため該参考電位端の設定電圧値まで上昇すると、該光補正ユニットは正電圧を出力して該電球を点け、他に光強度設定ユニットは該光補正ユニットが出力した正電圧に従って該光補正ユニットの参考電位端までフィードバックし、該参考電位端の設定電圧値を調整して外界光源に対して感知に許容範囲を有することを特徴とする請求項１記載の角度をモニタリング及び調整するライト台としている。
請求項４の考案は、カバー体、枢設ヘッド、自動補正光制御スイッチから構成された角度をモニタリング及び調整するライト台において、
内部に納置空間を形成し、最上部は該納置空間と相互に通じる納置口を具え、同時に納置口の隣接する周囲面上には環上歯型の定位リングを具え、且つ側面縁にはモニタリング孔を設置するカバー体と、
該カバー体に相対して設置し、底端には複数の互いに交錯する上、下定位挟持片を具え、且つ各一上、下定位挟持片の間には掛合空間を具え、そのうちの上定位挟持片の底部には定位凸縁を具えて該カバー体の定位リングと相互に噛み合い、また内部には中心軸線方向に沿って貫く正極孔、及び該中心軸線方向に平行に貫設した負極孔を具える枢設ヘッドと、
該カバー体内に設置し、回路板、光検出ユニット、光補正ユニット、正極導体、負極導体、正極導線、負極導線及び環接続台を含み、そのうち該光検出ユニットは該カバーのモニタリング孔に対応し、該正極導体は回路板上の中心軸線位置に設置し、該負極導体は環状で、回路版に設置して中心軸線位置に相対し、該正極導線は害枢設ヘッドの正極穴から垂れ下がり、且つ正極導体と固定せずに接触し、該負極導線は該枢設ヘッドの負極孔から垂れ下がり、且つ負極導体と固定せずに接触し、該環接続台は該回路板の底面で定位して負極導体に相対して連通する自動補正光制御スイッチを含み、
該カバー体が該枢設ヘッドを中心にして回転した時、該自動補正光制御スイッチはカバー体に従って任意の角度で回転することを特徴とする角度をモニタリング及び調整するライト台としている。
請求項５の考案は、前記枢設ヘッドは、各一上定位挟持片及び各一下定位挟持片の間に隙間を具え、各一上定位挟持片の押圧、跳ね返りの空間を形成し、同時に空気を流通させて該光制御照明具の放熱に用いることを特徴とする請求項４記載の角度をモニタリング及び調整するライト台としている。
請求項６の考案は、前記光検出ユニットは、外界光源の強弱を感知して一端の電位を下降、上昇させ、該光補正ユニットは、予め電圧値を設定した参考電位端を具え、且つ一端の電位は外界光源が暗いため該参考電位端の設定電圧値まで上昇すると、該光補正ユニットは正電圧を出力して該電球を点け、他に光強度設定ユニットは該光補正ユニットが出力した正電圧に従って該光補正ユニットの参考電位端までフィードバックし、該参考電位端の設定電圧値を調整して外界光源に対して感知に許容範囲を有することを特徴とする請求項４記載の角度をモニタリング及び調整するライト台としている。
請求項７の考案は、前記正極導体は、「く」の字型の弾片で、該回路板最上面に露出した上導電片、及び回路板底面に露出した下導電片を具え、且つ該正極導線及び負極導線はそれぞれ弾塑性を具え、且つ湾曲し且つ該正極導体、負極導体と接触する導電端を具えることを特徴とする請求項４記載の角度をモニタリング及び調整するライト台としている。
【考案の効果】
【００１１】
本考案の効果は以下のとおりである。即ち、本考案の主な目的は、角度をモニタリングおよび調整するライト台を提供することにより、公知のライト台に存在するライト台が固定しているため、方位を調整することができず、そのため該光制御照明具は単一角度方位の光源しか当てられない問題点を解決する。問題を解決する技術特徴として、主にカバー体１０内部に納置空間１１を形成し、その最上部の納置口１２の隣接する周囲面上に環状歯型の定位リング１３及び定位リング１３に隣り合う定位塊１４を具え、且つカバー体１０の側面縁にはモニタリング孔１５を設置する。また枢設ヘッド２０は、カバー体１０に相対して設置し、該枢設ヘッド２０底端には複数の互いに交錯する上、下定位挟持片２１、２２を具え、且つ各一上、下定位挟持片２１、２２の間には掛合空間２３を具える。そのうちの上定位挟持片２１の底部には定位凸縁２５を具え、該カバー体１０の定位リング１３と相互に噛み合う。またそのうちの下定位挟持片２２は外向きに突起した停止塊２６を具え、カバー体１０の定位塊１４停止して回転するのに用いる。このように進歩的な設計により、本考案外光制御照明具と共に３６０度近く回転する。これにより、随時外の環境の光源強弱の変化を見て高原のモニタリング方位を適時変更し、更に本考案に使用上の実用性を具える。
【００１２】
本考案の別の目的は、公知のライト台に存在する電球３９が継続して点いたり消えたりする点滅現象に対して、自動補正光制御スイッチ３０をカバー体１０内に設置し、且つ該自動補正光制御スイッチ３０は光検出ユニット３１Ａ、光補正ユニット３４、及び光強度設定ユニット３３を含む。そのうち該光検出ユニット３１はカバー体１０のモニタリング孔１５の別の一技術特徴に対応し、参考電位端３１４の電位を調整する機能を具え、電球３９の点滅現象を解決する他に、自動点滅器、ナイトライト及び人体センサーライトの日夜転換システム用途に広く適用し、利用価値及び経済効率を具え、実用性を具える。
【考案を実施するための最良の形態】
【００１３】
図３〜図８に示すとおり、本考案は角度をモニタリングおよび調整するライト台の実施例であるが、これらの実施例は説明のためのものであり、本考案の構造を制限するものではない。
【００１４】
カバー体１０は、その内部に納置空間１１を形成する。カバー体１０最上部には該納置空間１１と相互に通じる納置口１２を具え、同時に該納置口１２の隣接する周辺面上には環形歯型の定位リング１３及び定位リング１３に隣接する定位塊１４を具える。更に該カバー体１０の側面縁面にはモニタリング孔１５が貫設される。
【００１５】
枢設ヘッド２０はカバー体１０に相対して設置される。該枢設ヘッド２０底端には四方外向きに伸びる上定位挟持片２１及び四方外向きに伸びる下定位挟持片２２を具え、且つこれらの上定位挟持片２１、下定位挟持片２２は互いに交錯し、且つ各一上定位挟持片２１、下定位挟持片２２の間には掛合空間２３を具え、該掛合空間２３はカバー体１０の定位リング１３に掛合し、そのうちの上定位挟持片２１の底部は該掛合空間２３に対応して定位凸縁２５を具える。該定位凸縁２５はカバー体１０の定位リング１３にちょうど掛合し、そのうちの下定位挟持片２２は外向きに突起した停止塊２６を具える。該停止塊２６は３６０度近く回転した時にカバー体１０の定位塊１４で停止し、別に該枢設ヘッド２０のうちの各一上定位挟持片２１及び各一下定位挟持片２２の間に隙間２４を具え、該隙間２４が各一上定位挟持片２１を押圧、跳ね返しの可動空間となり、同時に空気を流通させて該電球３９を放熱させる。
【００１６】
自動補正光制御スイッチ３０は、カバー体１０内に設置し、光制御ユニット３１、光補正ユニット３４及び光強度設定ユニット３３を含む。そのうち、該光検出ユニット３１はカバー体１０のモニタリング孔１５に対応し、且つ該光検出ユニット３１は、外界光源の強弱を感知して該光検出ユニット３１の一端の電位を下降させたり、上昇させたりする。また該光補正ユニット３４は予め電圧値を設定できる参考電位端３１４を具え、且つ該光検出ユニット３１の一端の電位は外界光源が暗いため該参考電位端３１４の予め設定した電圧値が上昇した時、該光補正ユニット３４は正電圧を出力して該電球３９を動かして始動し、且つ該光補正ユニット３４は相互に数珠繋ぎした二個のインバーター３４１、３４２から構成される。この他、該光強度設定ユニット３３は可変レジスタンスであり、且つ該光強度設定ユニット３３は該光補正ユニット３４が出力した正電圧に従って該光補正ユニット３４の参考電位端３１４へフィードバックし、該参考電位端３１４の予め設置した電圧値を調整し該光検出ユニット３１を外界光源のセンサーに対して位置許容範囲を有する。別に自動補正光制御スイッチ３０は更に駆動ユニット３６を含み、該駆動ユニット３６は継電器３７及び該と相互に接続するトランジスタ増幅器３８を具え、該トランジスタ増幅器３８の導電は該継電器３７を動かして通電感知し、該電球３９を点けて光らせる。
【００１７】
図４に示すとおり、該枢設ヘッド２０と該カバー体１０を相互に連接した時、該枢設ヘッド２０最上端によってカバー体１０の納置空間１１から該カバー体１０の最上壁の納置口１２を通し、且つこれら上定位挟持片２１の傾斜度押し抜き面が該定位リング１３の底面に当たった時、各一上定位挟持片２１は該隙間２４の形成によって内側に動いてやや押し、該定位リング１３をスムーズに通す。定位リング１３に通したのは図５に示すとおりで、これら上定位挟持片２１は跳ね返って復位し、且つこれら上定位挟持片２１の底面と該定位リング１３の最上面は相互に接する。これら下定位挟持片２２の最上面は該定位リング１３の底面に当たり、該定位リング１３を該掛合空間２３上で掛合し、同時にそのうちの上定位挟持片２１の定位凸縁２５は、該定位リング１３の歯型状リング面で相互に噛み合う。
【００１８】
図６に示すとおり、該枢設ヘッド２０の最上端は別に二リベット孔２８及び穿孔２７を具え、同時に基台４０によって該枢設ヘッド２０上に被せることによって二リベット部品２９を二リベット孔２８に差し込み、該枢設ヘッド２０と固定する。該枢設ヘッド２０は基台４０を天井板Ａ上に固定する。この他、該枢設ヘッド２０の穿孔２７は、該自動補正光制御スイッチ３０の電源線を差し込むのに用いる。
【００１９】
更に図７に示すとおり、該枢設ヘッド２０のうちの上定位挟持片２１の定位凸縁２５が該定位リング１３の歯型状リング面と噛み合った後、これによって該カバー体１０は該枢設ヘッド２０を中心にして回転し、且つ毎回一角度を回転し、最大で３６０度が近く回転する。該光制御照明具は該カバー体の周囲壁上に掛合するため該カバー体１０が回転した時、即座に該自動補正光制御スイッチ３０を伴って回転し、該光検出ユニット３１を３６０度近く方位調整モニタリングし、３６０度近く回転した時、該カバー体１０の定位塊１４は即座にそのうちの下定位挟持片２２の停止塊２６に当たり、該カバー体１０が３６０度を超過して回転するのを防ぎ、該自動補正光制御スイッチ３０の電源線がまきついて切れたり落ちたりするのを防止する。
【００２０】
図８に示すのは、自動補正光制御スイッチ３０の回路図である。該光検出ユニット３１は外界光源が明るいと感知し、該センサー電位端３１１の電位が該参考電位端３１４の予め設定した電圧値より低い時、該インバーター３４１は反転し高電位を出力する。しかし、別の一インバーター３４２の反転によって出力は低電位に変わり、該トランジスタ増幅器３８を触発せず、同時に該継電器３７が通電感知せずに開路状態を形成し、該電球３９を点けない。該光検出ユニット３１は外界光源が暗く、該センサー電位端３１１の電位が該参考電位端３１４の予め設定した電圧値より上がるか（もしくは超過）した場合、該インバーター３４１は反転によって低電位を出力するが、別のインバーター３４２の反転によって高電位に変えて出力する。この時、該光補正ユニット３４は該制限レジスタンス３５を経て正電圧を出力し該トランジスタ増幅器３８を触発して通電し、更に該継電器３７を駆動して通電感知し、閉路状態して該電球３９を光らせる。
【００２１】
この他、該光強度設定ユニット３３は、該光補正ユニット３４と並列して該光補正ユニット３４が出力した高電位を該参考電位端３１４へフィードバックする。更に該光強度設定ユニット３３本体はレジスタンスになることができ、レジスタンス３１２、３１３及び該光検出ユニット３１と連なって差圧回路３２となり、該センサー電位端３１１の電位及び該参考電位端３１４の予め設定した電圧値を同時に上昇させて調整する。言い換えると、この時該電球３９が発した光は該光検出ユニット３１を照らし、該センサー電位端３１１の電位も下げない。反対に該センサー電位端３１１の電位及び該参考電位端３１４の予め設定した電圧値は同時に上昇して該光補正ユニット３４に継続して正電圧を出力し、該電球３９は光った状態を維持する。このようにして該電球３９は点滅現象を防止する。
【００２２】
この他、該光強度設定ユニット３３は、可変レジスタンスであるため、随時外界の光源の明暗状況及び該電球３９の輝度を見ることにより、該参考電位端３１４の予め設定した電圧値を調整し、これによって該光検出ユニット３１が外界光源のセンサーに対して許容する電位昇降範囲を有し、該光検出ユニット３１のセンサー感度を自動で下げて該電球３９の点滅現象によって照明効果に影響するのを防止する。更に該光強度設定ユニット３３と該光補正ユニット３４は並列フィードバック設計を採用するため、外界光源が暗く、光補正ユニット３４のインバーター３４１、３４２によって低電位を出力した時、該光強度設定ユニット３３電位をフィードバックできず、該参考電位端３１４の電圧は元の設定値へ回復する。このようにして光検出ユニット３１のセンサー感知度は正常な水準に回復する。
【００２３】
本考案は設計上、該カバー体１０が該枢設ヘッド２０と中心にして回転する時、該光制御照明具は共に回転し、且つ毎回一小角度方位に回転し、最大で３６０度近く回転する。そのため随時環境の光源の強弱の変化を見て光源のモニタリング方位に対して適時調整する。更にライト台の構成は簡単でコストも低くてすみ、使用上非常に便利であり、ライト台に対して十分に利用できる。自動補正光制御スイッチ３０は更に参考電位端３１４の電圧を調整する機能を具える。そのため電球３９の点滅問題を有効に解決する他に、自動点滅器、ナイトライト及び人体センサーライトの日夜転換システムの用途に幅広く適用し、使用価値及び経済効率を具え、本考案は実用性を具える。
【００２４】
図９は本考案の第二実施例であり、カバー体１０Ａ、枢設ヘッド２０Ａ及び自動補正光制御スイッチ３０Ａを具える。
【００２５】
そのうち、カバー体１０Ａは、その内部に納置空間１１Ａを形成する。その最上部には該納置空間１１Ａと相互に通じる納置口１２Ａを具え、同時に該納置口１２Ａの隣接する周辺面上には環形歯型の定位リング１３Ａを具え、且つ該カバー体１０Ａの側面縁面にはモニタリング孔１５Ａが貫設される。
【００２６】
枢設ヘッド２０Ａはカバー体１０Ａに相対して設置される。該枢設ヘッド２０Ａ底端にはいくつもの互いに交錯する上、下定位挟持片２１Ａ、２２Ａを具え、且つ各一上、下定位挟持片２１Ａ、２２Ａの間には掛合空間２３Ａを具え、そのうちの一上定位挟持片２１Ａの底部は定位凸縁２５Ａを具えて該カバー体１０Ａの定位リング１３Ａと掛合する。また該枢設ヘッド２０Ａ内部には中心軸方向に沿って貫設した正極孔２６Ａ、及び該中心線方向に沿って貫設した負極孔２７Ａを具える。
【００２７】
自動補正光制御スイッチ３０Ａは、カバー体１０Ａ内に設置し、回路板５０、光制御ユニット３１Ａ、光補正ユニット（図未提示）及び光強度設定ユニット（図未提示）、正極導体５３、負極導体５４、正極導線５１、負極導線５２及び環接続台５５を含む。
【００２８】
そのうち、該光検出ユニット３１Ａは、カバー体１０Ａのモニタリング孔１５Ａに対応する。
【００２９】
該正極導体５３は、本実施例において「く」の字型の弾片で、該回路板５０上の中心軸線位置に設置し、該回路板５０の最上面に露出した上導電片５３１、及び該回路板５０の底面に露出した下導電片５３２を具える。
【００３０】
該負極導体５４は、金属塗布方式で回路板５０に相対する中心軸線位置に環設する。
【００３１】
該正極導線５１は、弾塑性で、該枢設ヘッド２０Ａの正極孔２６Ａから垂れ落ち、湾曲でき正極導体５３の上導電片５３１と固定しない導電端５１１を具える。
【００３２】
該負極導線５２は、弾塑性で、該枢設ヘッド２０Ａの負極孔２７Ａから垂れ落ち、湾曲でき負極導体５４と固定しない導電端５２１を具える。
【００３３】
該環接続台５５は、該回路板５０底面に定位し、負極導体５４に相対して連通する。
【００３４】
該正、負極導線５１、５２は、本体が弾塑性であり、導電端５１１、５２１で固定しない方式で正極導体５３と負極導体５４上にそれぞれ当て、正、負極導体５３、５４と直接固定しない。そのため、カバー体１０Ａが該回路板５０を伴って該枢設ヘッド２０Ａの周りを回った時、該正、負極導線５１、５２同時に動かさない。言い換えると、該正極導線５１の導電端５１１は回路板５０に相対して回転して正極導体５０と接触する位置を保ち、該負極導線５２の導電端５２は回路板５０に相対して回転し、負極導体の円形軌跡に基づいて該負極導体と接触する。そのため、該カバー体１０Ａは、回路板５０、光検出ユニット３１Ａ、環接続台５５を伴って該枢設ヘッド２０Ａに任意の３６０度回転で回る。
【００３５】
このようにして電球３９を環接続台５５内に設置するだけで正極導体５３の下導電片５３２に接触し、電球３９を回路板５０及び正、負極導線５１、５２と電気連接させ、且つ光検出ユニット３１Ａが光源を感知すると、回路に通電し、電球３９を光らす。更に３６０度カバー体１０Ａを回転し、該カバー体１０Ａは回路板５０、光検出ユニット３１Ａ、環接続台５５を伴って該枢設ヘッド２０Ａを任意の度数に回転し、該光検出ユニット３１Ａのモニタリング角度を変える。
【図面の簡単な説明】
【００３６】
【図１】公知の電球の断面概略図である。
【図２】公知の電球の回路図である。
【図３】本考案のライト台のカバー体及び枢設ヘッドの分解立体図である。
【図４】本考案のライト台のカバー体及び枢設ヘッドの動作概略図一である。
【図５】本考案のライト台のカバー体及び枢設ヘッドの動作概略図二である。
【図６】本考案のライト台のカバー体及び枢設ヘッドの光検出部品との動作概略図一である。
【図７】本考案のライト台のカバー体及び枢設ヘッドの光検出部品との動作概略図二である。
【図８】本考案の自動補正光スイッチの回路図である。
【図９】本考案の別の一実施例である。
【符号の説明】
【００３７】
Ａ  天井板
１  制御回路
２  台座
３  納置室
４  ライト台
５  光検出部品
６  電球
１０  カバー体
１１  納置空間
１２  納置口
１３  定位リング
１４  定位塊
１５  モニタリング孔
２０  枢設ヘッド
２１  上定位挟持片
２２  下定位挟持片
２３  掛合空間
２４  隙間
２５  定位凸縁
２６  停止塊
２７  穿孔
２８  リベット孔
２９  リベット部品
３０  自動補正光制御スイッチ
３１  光検出ユニット
３１１  センサー電位端
３１２  レジスタンス
３１３  レジスタンス
３１４  参考電位端
３２  差圧回路
３３  光強度設定ユニット
３４  光補正ユニット
３４１  インバーター
３４２  インバーター
３５  制限レジスタンス
３６  駆動ユニット
３７  継電器
３８  トランジスタ増幅器
３９  電球
４０  基台
５０  回路板
５１  正極導線
５２  負極導線
５１１  導電端
５２１  導電端
５３  正極導体
５３１  上導電片
５３２  下導電片
５４  負極導体
５５  環接続台
７１  センサー電位端
７２  参考電位端
７３  レジスタンス
７４  レジスタンス
７５  レジスタンス
７６  比較器
７７  トランジスタ
７８  制限レジスタンス
７９  継電器
Ａ    天井板
１０Ａ  カバー体
１１Ａ  納置空間
１２Ａ  納置口
１３Ａ  定位リング
１５Ａ  モニタリング孔
２０Ａ  枢設ヘッド
２１Ａ  上定位挟持片
２２Ａ  下定位挟持片
２３Ａ  掛合空間
２４Ａ  隙間
２５Ａ  定位凸縁
２６Ａ  正極孔
２７Ａ  負極孔
３０Ａ  自動補正光制御スイッチ
３１Ａ  光検出ユニット
【図１】
0003145874.tif 000003
【図２】
0003145874.tif 000004
【図３】
0003145874.tif 000005
【図４】
0003145874.tif 000006
【図５】
0003145874.tif 000007
【図６】
0003145874.tif 000008
【図７】
0003145874.tif 000009
【図８】
0003145874.tif 000010
【図９】
0003145874.tif 000011